(57)【要約】【課題】鋳造によって成型された鋳造物（ワーク）を振動によりワークに付着している砂、特にワークの中空部に付着している中子砂を落とす振動砂落とし装置であって、装置が小型化され、打撃による騒音がなく、さらに砂の飛散による環境汚染も防止される。【解決手段】一端４ａが中心軸３上に載置、保持された振動台板４と、中心軸３をはさんだ対称の位置に配置された一対の振動モーター５，５と、中心軸３に対して対向する他端４ｂに備えられたワーク１の保持具６とを備えて構成される。【選択図】図１
2006055905.tif 000002
【特許請求の範囲】
【請求項１】
鋳造物中空部の中子砂を振動によって落とす鋳造物の振動砂落とし装置であって、一端が中心軸上に載置保持された振動台板と、この振動台板上の中心軸をはさんだ対称の位置に配置された一対の振動モーターと、振動台板の中心軸に対して対向する他端に備えられた鋳造物の保持具とを備え、砂落としすべき鋳造物を前記保持具に保持した後、一対の振動モーターを稼動して振動台板を振動させ、これにより保持具に保持された振動台板上の鋳造物に振動を与え、この振動力により中空部の中子砂を落とすことを特徴とする振動砂落とし装置。
【請求項２】
請求項１において、前記鋳造物の保持具はシリンダーと、このシリンダーの稼動により伸縮自在なシャフトと、このシャフト先端に付着された押え板と、振動台板側に付着された受け板とからなり、鋳造物の一方を受け板に接触させ、他方を押え板で押えつけ、鋳造物を受け板と押え板で挟んで振動台板に保持するようにした請求項１に記載の振動砂落とし装置。
【請求項３】
請求項１において、前記保持具の鋳造物をすのこ箱に保持する請求項１に記載の振動砂落とし装置。
【請求項４】
請求項１において、鋳造物の中空部に粒状固形物を投入して中空部の中子砂を落下除去する請求項１に記載の振動砂落とし装置。
【発明の詳細な説明】
【技術分野】
【０００１】
本発明は自動車部品等、鋳造によって成型された鋳造物（ワーク）を振動によりワークに付着している砂、特にワークの中空部に付着している中子砂を落とすワークの振動砂落とし装置に係り、詳細には、砂落としすべきワークを振動台板に保持し、この振動台板を振動モーターによって振動させることによりワーク中空部の中子砂を落とすワークの振動砂落とし装置。
【背景技術】
【０００２】
自動車部品等、各種機械部品の多くは鋳造により成型される。鋳造された鋳造物（ワーク）には多量の砂が付着しており、この付着している砂落とす作業が必要となる。
【０００３】
ワークの砂落とし技術として、従来、砂の付着しているワークをハンマーで打撃し、ワークに振動を与えて砂を落とす技術が知られている。例えば、密閉ボックス内にワ−クを保持してハンマーで打撃するワークの砂落とし装置（実用新案登録第３０７７６８１号）、ワーク受台を反転し、押し湯部を下方に向けてワークをハンマーで打撃するワークの反転式砂落とし装置（特開２００３−３０５５５９号）、ワーク側防音ボックスと、ハンマー側防音ボックスとを備え、両ボックスで密閉室を形成してワークをハンマーで打撃するハンマリング装置（特許第３２０５８９７号）等が知られている。
【０００４】
しかし、これら装置はいずれもワークをハンマーで打撃することによりワークに付着した砂を落とす形式のものであって、装置が大型化されるのみならず、打撃による騒音、砂の飛散による環境汚染等の問題点が生じる。
【特許文献１】実用新案登録第３０７７６８１号
【特許文献２】特開２００３−３０５５５９号
【特許文献３】特許第３２０５８９７号
【発明の開示】
【発明が解決しようとする課題】
【０００５】
本発明が解決しようとする課題はワークをハンマーによって打撃する従来の砂落とし技術に代えてワークに振動を与えることによりワークの砂落としを達成し、これにより装置の小型化はもちろんのこと、打撃による騒音をなくし、かつ砂の飛散による環境汚染を防止し、従来技術に存する欠点を改良した振動砂落とし装置を提供することにある。
【課題を解決するための手段】
【０００６】
上述の課題を解決するため、本発明によれば、鋳造物中空部の中子砂を振動によって落とす鋳造物の振動砂落とし装置であって、一端が中心軸上に載置保持された振動台板と、この振動台板上の中心軸をはさんだ対称の位置に配置された一対の振動モーターと、振動台板の中心軸に対して対向する他端に備えられた鋳造物の保持具とを備え、砂落とすべき鋳造物を前記保持具に保持した後、一対の振動モーターを稼動して振動台板を振動させ、これにより保持具に保持された振動台板上の鋳造物に振動を与え、この振動力により中空部の中子砂を落とすことを特徴とする。
【発明の効果】
【０００７】
上述の本発明は砂落としすべきワークを振動台板に保持し、この振動台板を振動モーターによって振動させることによりワーク中空部の中子砂を落とす構成としたから、従来のハンマリング室のような大きな装置を必要とせずに小型化され、かつ打撃による騒音がなく、さらに砂の飛散による環境汚染の問題が生じない。
【発明を実施するための最良の形態】
【０００８】
以下、本発明を添付図面を用いて詳述する。
【０００９】
図１は本発明にかかる振動砂落とし装置の一具体例の平面図であり、図２はその側面図であり、図３は本発明にかかる振動の原理を表した説明図である。
【００１０】
本発明は図１および図２に示されるように、鋳造物（ワーク）１の中空部２の中子砂を振動によって落とす鋳造物の振動砂落とし装置Ａであって、一端４ａが中心軸３上にゴムクッション１２を介して載置保持された振動台板４と、この振動台板４上の中心軸３をはさんだ対称の位置に配置された一対の振動モーター５，５と、振動台板４の中心軸３に対して対向する他端４ｂに備えられた鋳造物（ワーク）１の保持具６とを備えて構成される。
【００１１】
中心軸３は基台１３を有し、この基台１３を床面１４上に設置することにより安定して起立される。このため、中心軸３は振動台板４の一端４ａを安定して載置保持できる。
【００１２】
保持具６は図１および図２に示されるように、シリンダー７と、このシリンダー７の稼動により伸縮自在なシャフト８と、このシャフト８の先端に付着された押え板９と、振動台板４の他端４ｂ側に付着された受け板１０とから構成される。そして、ワーク１の保持に際し、ワーク１の一方を受け板１０に接触させ、他方を押え板９で押えつけ、ワーク１を受け板１０と押え板９で挟んで振動台板４の他端４ｂに保持する。
【００１３】
なお、保持具６のワーク１は図１および図２に示されるように、すのこ箱１１中保持することもでき、これによりワーク１から落とされた中子砂の飛散を防止することができる。
【００１４】
上述構成からなる本発明の振動砂落とし装置Ａは砂落としすべき鋳造物（ワーク）１を保持具６に保持した後、一対のモーター５，５を稼動して振動台板４を振動させ、これにより保持具６に保持された振動台板４上のワーク１に振動を与え、この振動力により中空部２の中子砂を落とす。この際、ワーク１の中空部２に粒状固形物（図示せず）を投入して振動すると、中空部２の中子砂は容易に落下される。
【００１５】
振動モーター５，５はモーター回転軸に偏心質量を持たせて回転するモーターであって、偏心質量分の遠心力が発生し、振動する。このときの振動力はＦ＝ｍｒω２である。ここでｍは偏心質量、ωは回転速度（ｒａｄ／ｓ）、ｒは半径である。この種の振動モーター５，５は図３に示されるように、一対の稼動によりａ、ｂ方向が打ち消し合い、ｃ、ｄ方向の力は２台合計されて振動台板４の他端４ｂに振動を与え、ワーク１が振動する。
【産業上の利用可能性】
【００１６】
上述の本発明は砂落としすべきワークを振動台板に保持し、この振動台板を振動モーターによって振動させることによりワーク中空部の中子砂を落とす構成としたから、従来のハンマリング室のような大きな装置を必要とせずに小型化され、かつ打撃による騒音がなく、さらに砂の飛散による環境汚染の問題が生じない。したがって、本発明の振動砂落とし装置は鋳造技術分野において広く利用される可能性が高い。
【図面の簡単な説明】
【００１７】
【図１】本発明振動砂落とし装置の一具体例の平面図である。
【図２】図１の装置の側面図である。
【図３】振動モーターの振動原理を表わした説明図である。
【符号の説明】
【００１８】
Ａ  振動砂落とし装置
１  鋳造物（ワーク）
２  中空部
３  中心軸
４  振動台板
４ａ  一端
４ｂ  他端
５  振動モーター
６  保持具
７  シリンダー
８  シャフト
９  押え板
１０  受け板
１１  すのこ箱
【図１】
2006055905.tif 000003
【図２】
2006055905.tif 000004
【図３】
2006055905.tif 000005